(57)【要約】【課題】背面保持ヨークを有する打撃ツール用ツールチャックを、技術的に簡単な方法で実現し、かつ空打撃時における最適な衝撃吸収を実現する。  【解決手段】少なくとも部分的に打撃軸線Ａに沿って打撃駆動される打撃ツールのための打撃ツール用ツールチャックであって、ツールガイド３と、少なくとも１個のヨークアーム６を有する背面保持ヨーク５とを設け、背面保持ヨーク５を、回動軸受７によって、打撃軸線Ａに対して交差する方向に指向する回動軸線Ｓの周りに回動可能に支持し、かつ係止位置において固定可能にしたツールチャック１において、ツールガイド３と背面保持ヨーク５との間に、少なくとも１個のエラストマー介挿体８を設ける。好適には、エラストマー介挿体８を、０℃〜７０℃の間の温度領域および１Ｈｚ〜１００Ｈｚの周波数領域において、複素弾性係数の虚数部分が最大になる性質を有する材料から構成する。【選択図】図１ａ
2007030160.tif 000002
【特許請求の範囲】
【請求項１】
機械によって少なくとも部分的に打撃軸線（Ａ）に沿って打撃駆動される打撃ツールのための打撃ツール用ツールチャックであって、
ツールガイド（３）と、少なくとも１個のヨークアーム（６）を有する背面保持ヨーク（５）とを設け、
この背面保持ヨーク（５）を、回動軸受（７）によって、打撃軸線（Ａ）に対して交差する方向に指向する回動軸線（Ｓ）の周りに回動可能に支持し、かつ係止位置において固定可能にした該ツールチャックにおいて、
前記ツールガイド（３）と前記背面保持ヨーク（５）との間に、少なくとも１個のエラストマー介挿体（８）を設けたことを特徴とするツールチャック。
【請求項２】
前記エラストマー介挿体（８）を、０℃〜７０℃の間の温度領域および１Ｈｚ〜１００Ｈｚの周波数領域において、複素弾性係数の虚数部分が最大になる性質を有する材料から構成したことを特徴とする請求項１に記載の打撃ツール用ツールチャック。
【請求項３】
前記エラストマー介挿体（８）を、前記性質に加えて摩損耐性および摩耗耐性を有する材料から構成したことを特徴とする請求項２に記載の打撃ツール用ツールチャック。
【請求項４】
前記エラストマー介挿体（８）に、内部円筒面（９）を形成したことを特徴とする請求項１〜３のいずれか一項に記載の打撃ツール用ツールチャック。
【請求項５】
前記内部円筒面（９）を、前記回動軸線（Ｓ）に対して直交する方向に延在する平坦な摺動フランジ面（１１）の内側に形成したことを特徴とする請求項４に記載の打撃ツール用ツールチャック。
【請求項６】
前記ヨークアーム（６）により、前記摺動フランジ面（１１）に対して圧縮予応力を与えるようにしたことを特徴とする請求項５に記載の打撃ツール用ツールチャック。
【請求項７】
前記摺動フランジ面（１１）に、少なくとも１個のロック溝（１２）を形成したことを特徴とする請求項４または６に記載の打撃ツール用ツールチャック。
【請求項８】
前記ロック溝（１２）を長溝として形成したことを特徴とする請求項７に記載の打撃ツール用ツールチャック。
【請求項９】
少なくとも２個の長溝を設け、これら長溝の長手方向が、２０°〜７０°の範囲の角度（α）だけ互いにずれるようにしたことを特徴とする請求項８に記載の打撃ツール用ツールチャック。
【請求項１０】
前記ヨークアーム（６）に、ロック手段（１４）を形成したことを特徴とする請求項１〜９のいずれか一項に記載の打撃ツール用ツールチャック。
【請求項１１】
前記ロック手段（１４）を、前記ヨークアーム（６）に設け、前記摺動フランジ面（１１）に向いた突起であることを特徴とする請求項１０に記載の打撃ツール用ツールチャック。
【請求項１２】
前記背面保持ヨーク（５）は、互いに平行に離間する２個のヨークアーム（６）を有するものとし、これらヨークアーム（６）にそれぞれ１個のエラストマー介挿体（８）を配置したことを特徴とする請求項１〜１１のいずれか一項に記載の打撃ツール用ツールチャック
【請求項１３】
前記ツールガイド（３）に、前記打撃軸線（Ａ）に沿って延在する長穴（１３）を、前記ヨークアーム（６）ごとに１個設けたことを特徴とする請求項１〜１２のいずれか一項に記載の打撃ツール用ツールチャック。
【発明の詳細な説明】
【技術分野】
【０００１】
本発明は、機械によって少なくとも部分的に打撃駆動される、例えば堀削ビットのような打撃ツールのための、支持部材を有するツールチャックに関するものである。
【背景技術】
【０００２】
通常、高性能な打撃ツールは、打撃力を受けるシャンクの領域に半径方向に突出する背面保持用のカラーを有する。この種の打撃ツール用のツールチャックは、移動可能な背面保持手段を有し、この背面保持手段は、背面保持用のカラーをツール側から少なくとも部分的にカラー背面に掛合し、したがって、軸線方向に往復移動するツールが、ツールを軸線方向に案内する打撃ツール用ツールチャックから不慮に脱落するのを防止する。さらに、空打撃が生じた場合には、打撃ツールに伝達される打撃エネルギーは、ほぼ完全に背面保持手段に吸収され、かつ消散されなければならない。
【０００３】
背面保持用のカラーをツール側から少なくとも部分的に背面掛合する背面保持手段としては、おおまかに、偏心回転可能な背面保持レバー（例えば特許文献１参照）、半径方向に開放部を有する背面保持スリーブ（例えば特許文献２もしくは特許文献３参照）、打撃軸線外に回動可能な背面保持ヨークであって、１個以上のヨークアームによって打撃ツール用ツールチャックに回動可能に固定されるもの（例えば特許文献４、特許文献５もしくは特許文献６参照）に分類される。本発明は、これらのうち、背面保持ヨークを有する打撃ツール用ツールチャックのみを対象としている。
【特許文献１】米国特許第４６１４２４１号明細書
【特許文献２】米国特許第３５２５５３１号明細書
【特許文献３】仏国特許第２３６４７４４号明細書
【特許文献４】米国特許第１７１９０７９号明細書
【特許文献５】独国特許第  ２８５８６３号明細書
【特許文献６】米国特許第２６０４３２８号明細書
【０００４】
特許文献６には、このような打撃ツール用ツールチャックのうち、ツールガイドと、打撃軸線から９０°まで回動可能に固定され、２個のヨークアームとを有する背面保持ヨークを設けたものが記載されている。打撃軸線に沿う位置に回動した背面保持ヨークによって規定される係止位置で、各ヨークアームが、それぞれ１個のばね式のロック手段によって固定される。係止位置でツール側から打撃ツールにおける背面保持用のカラーの背面に部分的に掛合するする背面保持ヨーク自体は、ヨークアームごとそれぞれ１個のらせんばねによって、打撃ツール用ツールチャックの他の部分に弾性的に固定する。
【０００５】
さらに、複素弾性係数の虚数部分が大きい材料による衝撃吸収作用が知られており、この複素弾性係数の虚数部分は、合成材料について、温度と周波数に基づくＷＬＦ(Williams，Landel，Ferry）方程式によって近似的に決定され、分子の弛緩プロセスにおける消散部分を表す。
【発明の開示】
【発明が解決しようとする課題】
【０００６】
本発明は、背面保持ヨークを有する打撃ツール用ツールチャックを、技術的に簡単な方法で実現することを目的とする。また、空打撃時における最適な衝撃吸収を実現することも目的とする。
【課題を解決するための手段】
【０００７】
この目的は、基本的に、請求項１の特徴部分によって達成される。従属請求項に、好適な実施態様を記載する。
【０００８】
本発明は、機械によって少なくとも部分的に打撃軸線に沿って打撃駆動される打撃ツールのための打撃ツール用ツールチャックにおいて、ツールガイドと、少なくとも１個のヨークアームを有する背面保持ヨークとを有し、この背面保持ヨークを、回動軸受によって、打撃軸線に対して交差する方向に指向する回動軸線の周りに回動可能に支持し、かつ係止位置において固定可能にしたツールチャックにおいて、前記ツールガイドと前記背面保持ヨークとの間に、少なくとも１個のエラストマー介挿体を設けたことを特徴とする。
【発明の効果】
【０００９】
本発明によれば、ツールガイドと背面保持ヨークとの間に配置したエラストマー介挿体によって、背面保持ヨークとの弾性連結を生じ、このエラストマー介挿体は、特に係止位置において、技術的に簡単な方法で、空打撃時の打撃エネルギーを吸収する。特に、ばねのような付加的な部材が不要になる。
【発明を実施するための最良の形態】
【００１０】
エラストマー介挿体を、０℃〜７０℃の間の温度領域および１Ｈｚ〜１００Ｈｚの周波数領域において、複素弾性係数の虚数部分が最大になる性質を有する材料から構成すると好適であり、これによって、通常考えられる使用状況下で、このような材料による最適な衝撃吸収が実現する。
【００１１】
前記エラストマー介挿体を、前記性質に加えて摩損耐性および摩耗耐性を有する材料から構成すると好適であり、これによって、高い温度状況下であっても、長い耐用寿命を実現できる。エラストマー介挿体を、水素化ニトリルゴム(ＨＮＢＲ)、エチレン‐プロピレン‐ジエンゴム(ＦＰＤＭ)、ニトリルゴム(ＮＢＲ)、フッ素ゴム（ＦＰＭ）、フルオロカーボンゴム（ＦＫＭ）、またはポリクロロプレンゴム（ＣＲ）から構成すると、さらに好適である。
【００１２】
エラストマー介挿体に、内部円筒面を形成すると好適であり、その形状を、スリーブ状もしくはなべ状にするとさらに好適である。これによって、回動軸受の円筒形状のジャーナルを、弾性的かつ回動可能に支持できる。
【００１３】
前記内部円筒面を、回動軸線に対して直交する方向に延在する平坦な摺動フランジ面の内側に形成すると好適であり、これによって、回動可能なヨークアームは、その回動の際に少なくとも部分的に、このフランジ面上で摩擦摺動し、したがって、抑制される。
【００１４】
ヨークアームにより、摺動フランジ面に対して圧縮予応力を与えるようにすると好適であり、例えば、ジャーナルの回動軸線に沿ってエラストマー介挿体に押し付けられるようにする。これによって、すべり摩擦力および静止摩擦力を増大することができる。
【００１５】
摺動フランジ面に、少なくとも１個のロック溝を形成すると好適であり、複数の別々の溝とし、適切に選択したヨークアームのロック手段が嵌まり込むようにすると、さらに好適である。これによって、少なくとも部分的な形状規制ロックにより、望ましい回動位置における錠止が生じ、係止位置における錠止であればさらに好適である。
【００１６】
ロック溝を長溝として形成すると好適であり、長溝の長手方向が回動軸線を通過する雌型くさび状溝にするとさらに好適であるこれによって、溝に合わせ、ヨークアームに沿って長く形成したロック手段より、最適に錠止可能となる。
【００１７】
少なくとも２個の長溝を設け、これら長溝の長手方向が、２０°〜７０°の範囲の角度だけ互いにずれるようにすると好適であり、さらに、この角度を２５°とすると、一層好適である。これによって、人間工学的に適切な位置において、背面保持ヨークの双方向安定性もしくは多方向安定性を有して捕捉される。
【００１８】
ロック手段を、ヨークアームに設け、摺動フランジ面に向いた突起とすると好適であり、くさび形状とすると、さらに好適である。これによって、ヨークアームは最適に錠止可能となる。
【００１９】
背面保持ヨークは、互いに平行に離間する２個ヨークアームを有するものとし、これらヨークアームにそれぞれ１個のエラストマー介挿体を配置すると好適であり、これによって、背面保持ヨークが２個の回動軸受によって対称的に固定される。さらに、背面保持ヨークの部材弾性によって、技術的に簡単な方法により、ヨークアームそれぞれに摺動フランジ面への圧縮予応力がかかる。
【００２０】
ツールガイドに、打撃軸線に沿って延在する長穴を、前記ヨークアームごとに１個設けると好適であり、これによって、エラストマー介挿体によって弾性的に支持され、回動軸線に沿ってツールガイド内部に突出する軸受ピンが、所定の範囲でツールガイドに対して軸線方向に相対移動可能になる。
【００２１】
以下、図面につき本発明の好適な実施例を詳細に説明する。
【実施例１】
【００２２】
図１ａおよび図１ｂに示すように、打撃ツール用ツールチャックには、機械によって打撃軸線Ａに沿って打撃駆動され、仮想線で輪郭のみを示した打撃ツール２のためのツールチャックであり、ツールガイド３と、図示されている係止位置において、打撃ツール２の背面保持用のカラー４にツール側から部分的にカラー背面に掛合する、２個のヨークアーム６を有するＵ字型の背面保持ヨーク５とを設ける。背面保持ヨーク５は、回動軸受７内部で、打撃軸線Ａに対して直交する方向に指向する回動軸線Ｓの周りに回動可能に支持し、かつ図示の係止位置に固定可能とし、この場合、ツールガイド３と背面保持ヨーク５との間の弾性連結のために、ヨークアーム６のそれぞれに、ＨＮＢＲ（水素化ニトリルゴム）からなるエラストマー介挿体８を設ける。エラストマー介挿体８に、スリーブ形状の内部円筒面９を形成し、この内部円筒面９の内部において、回動軸受７の円筒形状のジャーナル１０を弾性的かつ回動可能に支持する。内部円筒面９は、回動軸線Ｓに対して直交する方向に延在する平坦な摺動フランジ面１１の内側に形成する。ヨークアーム６には、背面保持ヨーク５の部材剛性によって、摺動フランジ面１１への圧縮予応力がかかる。ツールガイド３には、ヨークアーム６のジャーナル１０のためにあけられた、打撃軸線Ａに沿って延在する長穴１３を設ける。
【００２３】
図２ａおよび図２ｂに示すように、内部円筒面９を有するエラストマー介挿体８は、摺動フランジ面１１の内側において、３個のロック溝１２を雌型くさび状溝の形式で構成し、この溝の長手方向は、回動軸線Ｓを通過し、それぞれ互いに２５°の角度αだけずれる。
【００２４】
図３に示す背面保持ヨーク５のヨークアーム６において、ロック手段１４は、アーム６に沿って延在し、対応する摺動フランジ面１１（図２ａ、２ｂ参照）に向いた、くさび状の突起として形成される。
【図面の簡単な説明】
【００２５】
【図１ａ】打撃ツール用ツールチャックの縦断面図である。
【図１ｂ】打撃ツール用ツールチャックの他の縦断面図である。
【図２ａ】エラストマー介挿体の正面図である。
【図２ｂ】図２ａにおける線IIB-IIBで切断したエラストマー介挿体の横断面図である。
【図３】背面保持ヨークのヨークアームの横断面図である。
【符号の説明】
【００２６】
１  打撃ツール用ツールチャック
２  打撃ツール
３  ツールガイド
４  背面保持用のカラー
５  背面保持ヨーク
６  ヨークアーム
７  回動軸受
８  エラストマー介挿体
９  内部円筒面
１０  ジャーナル
１１  摺動フランジ面
１２  ロック溝
１３  長穴
１４  ロック手段
Ａ  打撃軸線
Ｓ  回動軸線
α  角度
【図１ａ】
2007030160.tif 000003
【図１ｂ】
2007030160.tif 000004
【図２ａ】
2007030160.tif 000005
【図２ｂ】
2007030160.tif 000006
【図３】
2007030160.tif 000007